(57)【特許請求の範囲】
【請求項１】
光軸に垂直な長さと幅とを有するレンズであって、前記光軸の方向から見た形状が、円に内接する長方形の各長辺と前記円の弧とにより規定される２つの範囲を前記円から取り除いた形状であり、前記長方形の幅が前記長辺よりも短いレンズと、
前記レンズを収容し、前記長さの方向に直交する両側側面に側部を備えるレンズホルダと、
前記レンズホルダの側部に面する第１表面を有する少なくとも１個の磁石を収容する枠体と、
前記レンズホルダに設けられ、且つ前記磁石の第１表面と前記レンズホルダとの間に介在する少なくとも１個のフォーカスコイルと、
前記レンズホルダと前記枠体との間に設けられ、前記レンズホルダが自由に移動できるよう前記光軸に位置することを維持するピント調整弾性機構と、
前記光軸に垂直な長さと幅とを有するとともに前記光軸に合わせられる撮影用イメージセンサーと、を含むレンズ駆動装置において、
前記撮影用イメージセンサーの形状は前記光軸の方向から見て長方形であり、前記撮影用イメージセンサーの長辺は、前記レンズの形状を規定する前記長方形の長辺と平行であり、前記撮影用イメージセンサーの対角線は、前記レンズの形状を規定する前記長方形の対角線と同じ長さであり、前記撮影用イメージセンサーの対角線に対する該撮影用イメージセンサーの幅の比が、前記レンズの形状を規定する前記長方形の対角線に対する該長方形の幅の比より小さく、
前記磁石が前記レンズホルダの側部において、前記レンズの前記長さの方向における両端の位置においてのみ前記レンズと並んで配置されることを特徴とするレンズ駆動装置。
【請求項２】
前記レンズの幅により、前記枠体の幅が決定されることを特徴とする請求項１に記載のレンズ駆動装置。
【請求項３】
前記枠体は、２個の磁石を収容し、且つ前記レンズホルダが前記レンズの前記長さの方向において２個の磁石の第１表面の間に介在することを特徴とする請求項１に記載のレンズ駆動装置。
【請求項４】
前記ピント調整弾性機構は、長軸を有する２個の板バネを含み、前記板バネの長軸が前記レンズの前記長さの方向に平行であることを特徴とする請求項１に記載のレンズ駆動装置。
【請求項５】
前記ピント調整弾性機構は、
前記レンズホルダの側面に設けられる第１の挟持面と、
前記第１の挟持面に対向するよう設けられる第２の挟持面と、
前記第１の挟持面と前記第２の挟持面との間に介在する複数の球体と、
前記レンズホルダと前記枠体との間に設けられ、前記レンズホルダの長軸上に側方引張力をかけて前記第１の挟持面と前記第２の挟持面が複数の球体を挟持させ、且つ前記レンズの光軸上に弾性力をかけて前記レンズホルダが自由に移動できるように前記光軸に位置することを維持する少なくとも１個の側方引張板バネと、を含むことを特徴とする請求項１に記載のレンズ駆動装置。
【請求項６】
前記側方引張板バネは、前記枠体に設けられる本体と、前記レンズホルダの長軸に平行する方向において前記本体から延伸するとともに前記レンズホルダに設けられる２個の握り部と、前記握り部と前記本体との間に各々連結する２個の弾性部とを含むことを特徴とする請求項５に記載のレンズ駆動装置。
【請求項７】
前記弾性部は、前記側方引張力と前記弾性力を提供することを特徴とする請求項６に記載のレンズ駆動装置。
【発明の詳細な説明】
【技術分野】
【０００１】
本発明は、レンズ駆動装置に関する。
【背景技術】
【０００２】
近年、カメラモジュールが普及してきているが、特にモバイルデバイスにおいて益々広がってきている。多くのモバイルデバイスには、更に２個以上のカメラモジュールを配置することで、例えばビデオ通話のレンズ及びファインダー用のレンズとして機能し、消費者の異なる運用ニーズに適している。
【０００３】
しかしながら、モバイルデバイスの体積が日増しに縮小する状況において、共通素子の統合は、１つの挑戦である。例えば、モバイルデバイスの前後レンズを統合してデバイス内部の配置空間を省きながら、モバイルデバイスの異なる方向における撮影能力を満たすことはその一つに属する。図１Ａを参照すると、従来の鏡面切替モジュール１は、電子機器（図示略）内に収容し、電子機器の覗き窓（図示略）と少なくとも１個の結像チャンネルを構成する。該鏡面切替モジュール１は、アクチュエータ１１と鏡面１２とレンズ駆動装置１３とを含む。該アクチュエータ１１は、回転モータであり、電磁式切換弁、ロータモータ又はステッピングモータによって回転される。該アクチュエータ１１の回転により回転軸１１１が回転し、該回転軸１１１の回転により鏡面支持部１１２も枢動する。該鏡面１２は該鏡面支持部１１２の一側に固定され、第１位置から第２位置まで枢動して定位できる（機構式ストッパーで実現可能）。該レンズ駆動装置１３は、結像に用いられるレンズ１３１と撮影用イメージセンサー（図示略）とを備え、該レンズ駆動装置１３に光軸を有するよう設けられる。従来の鏡面切替モジュール１は、鏡面１２を該第１位置と該第２位置とに選択するよう切り替えて光軸の延伸方向が変わることで、２つの異なる方向の結像チャンネルを形成できる。
【０００４】
図１Ｂを参照すると、従来のレンズ駆動装置１３内のレンズ１３１と自体の撮影用イメージセンサー１３２との比例関係を示した模式図である。現行のディスプレイ再生規格は、大部分が４：３又は１６：９の画像横縦比が用いられているため、撮影用イメージセンサー１３２のアスペクト比もその設計に従って一致する。図１Ｂから分かるように、従来のレンズ１３１が円形で、従来のレンズ駆動装置１３の底部が正方形を呈している。撮影用イメージセンサー１３２がレンズ１３１の光学有効領域でカバーしなければならないため、撮影用イメージセンサー１３２の境界とレンズ１３１の境界との間の領域は、実質上結像しない領域である。これらの領域は該鏡面切替モジュール１の厚みに対して非常に大きな空間の割合を占める。言い換えると、従来の鏡面切替モジュールの厚みはレンズの直径寸法から制限を受けるため、該従来の鏡面切替モジュールを使用した電子機器の厚みもレンズの直径寸法による制限を受ける。
【０００５】
よって、更に電子機器の厚みを縮小しようとする場合、レンズモジュール内のレンズとその周辺機構との配置が課題となっていた。
【先行技術文献】
【特許文献】
【０００６】
【特許文献１】特開２００６−２１５３５０号公報
【発明の概要】
【発明が解決しようとする課題】
【０００７】
本発明の一つの課題は、狭い側辺を有するレンズ駆動装置を提供することにある。
本発明の他の課題は、レンズの狭い側辺設計に対応する光学式手振れ補正機構を有するレンズ駆動装置を提供することにある。
【課題を解決するための手段】
【０００８】
本発明は、上記従来技術の課題を解決するため、光軸に垂直な長辺と幅とを有し、前記長辺と幅とにより長軸と短軸とが規定されるレンズと、前記レンズを収容し、前記長軸に直交する両側側面に側部を備えるレンズホルダと、前記レンズホルダの側部に面する第１表面を有する少なくとも１個の磁石を収容する枠体と、該レンズホルダに設けられ、且つ該磁石の第１表面と該レンズホルダとの間に介在する少なくとも１個のフォーカスコイルと、該レンズホルダと該枠体との間に設けられ、該レンズホルダが自由に移動できるよう該光軸に位置することを維持するピント調整弾性機構と、長さと幅とを有するとともに該光軸に合わせられる撮影用イメージセンサーと、を含むレンズ駆動装置を提供する。前記レンズ駆動装置において該前記撮影用イメージセンサーの長さは、前記長辺により決定され、且つ前記撮影用イメージセンサーの幅は、前記レンズの前記幅により決定され、前記磁石が前記レンズの前記長軸の方向においてのみ前記レンズと並んで配置されることを特徴とする。
【０００９】
本発明は、光軸を有するレンズ駆動装置と、回転できるように該光軸上に位置する鏡面と、該鏡面に連動して該鏡面と該光軸の交角を回転するアクチュエータと、を含む鏡面切替モジュールを更に提供する。該レンズ駆動装置と該鏡面と該アクチュエータの組立により該鏡面切替モジュールの長さ、幅及び高さが決定される。前記鏡面切替モジュールにおいて、該レンズ駆動装置は該光軸を有するレンズと、長さと幅とを有するとともに該光軸に合わせられる撮影用イメージセンサーとを含み、該撮影用イメージセンサーの長さは、該レンズの該光軸に直交する平面に長軸を有するように決定され、且つ該撮影用イメージセンサーの幅は、該レンズの該光軸に直交する平面に幅を有するように決定されることを特徴とする。
【００１０】
本発明は、平板状を呈し、該電子機器は、上部表面と、下部表面と、該上部表面と下部表面との間に介在する幅とを備え、該上部表面に第１の撮像孔が設けられ、該下部表面に第２の撮像孔が設けられ、鏡面切替モジュールが取り付けられる電子機器を更に提供する。鏡面切替モジュールは、光軸を有するレンズ駆動装置と、回転できるように該光軸上に位置する鏡面と、該鏡面を回転して該第１の撮像孔或いは該第２の撮像孔から該レンズ駆動装置まで各々撮像するアクチュエータとを含む。該レンズ駆動装置と該鏡面と該アクチュエータの組立により、該鏡面切替モジュールの長さ、幅及び高さが決定される。電子機器において、該レンズ駆動装置は該光軸を有するレンズと、長さと幅とを有するとともに該光軸に合わせられる撮影用イメージセンサーとを含み、該撮影用イメージセンサーの長さは、該レンズの該光軸に直交する平面に長軸を有するように決定され、且つ該撮影用イメージセンサーの幅は、該レンズの該光軸に直交する平面に幅を有するように決定されることを特徴とする。
【００１１】
本発明の機構設計を介し、レンズ駆動モジュールと関連する設置は、一緒に薄型化させることができ、同時に光学式手振れ補正の効果を兼ね備えることもできる。
本発明の前記各方面及び他の方面は、下記に限定されない具体的実施形態を添付図面に基づいて詳細に説明すると、更に理解できる。
【図面の簡単な説明】
【００１２】
【図１Ａ】従来のレンズ切替モジュール立体図である。
【図１Ｂ】従来のレンズ駆動装置内のレンズと撮影用イメージセンサーとの比例を示す図である。
【図２Ａ】本発明の一実施形態に係るレンズと撮影用イメージセンサー（４：３）との比例関係を示す図である。
【図２Ｂ】図２Ａに基づく立体透視図である。
【図３Ａ】本発明の他の実施形態に係るレンズと撮影用イメージセンサー（１６：９）との比例関係を示す図。
【図３Ｂ】図３Ａに基づく立体透視図である。
【図４Ａ】本発明の一実施形態に係るレンズ駆動装置分解図である。
【図４Ｂ】図４Ａに基づいて組み立てた後の延長軸の側面断面図である。
【図５Ａ】本発明の他の実施形態に係るレンズ駆動装置分解図である。
【図５Ｂ】図５Ａに基づいて組み立てた後の延長軸の側面断面図である。
【図５Ｃ】図５Ａに基づいて組み立てた、光軸方向に沿う内側下面図である。
【図６】本発明が提供するレンズ駆動装置の組立立体図である。
【図７】本発明が提供する鏡面切替モジュールの組立立体図である。
【図８Ａ】本発明が提供する電子機器の立体図である。
【図８Ｂ】各々電子機器内の鏡面切替モジュールを第１位置及び第２位置に切り替えた様子を示す図である。
【図８Ｃ】各々電子機器内の鏡面切替モジュールを第１位置及び第２位置に切り替えた様子を示す図である。
【発明を実施するための形態】
【００１３】
本発明の技術的特徴、内容と利点及び実現可能な効果を審査官に更に理解してもらうため、以下に本発明の実施形態を挙げて図面に基づいて詳細に説明する。使用する図面の趣旨は、見取り及び明細書の補助のために用いられるが、必ずしも本発明実施後の真の比率と正確な配置ではないため、添付図面の比率と配置関係が本発明の実際の実施上における権利範囲が解釈、制限されるべきものではない。この点につき、予め説明しておく。
【００１４】
同時に図２Ａ及び図２Ｂを参照すると、本発明の一実施形態に係るレンズ２１と撮影用イメージセンサー２７（４：３）との比例関係を示す図である。前記レンズ２１と撮影用イメージセンサー２７は、レンズ駆動装置内に配置され、且つ該レンズ１１の光軸が該撮影用イメージセンサー２７の中心点を通過する。該レンズ２１と撮影用イメージセンサー２７との間の配置に関しては、後記の段落で説明する。
【００１５】
図２Ｂに示すように、該レンズ２１は、丸いレンズを切削することにより、長辺ＬＬと幅ＷＬとを有し、該長辺ＬＬと幅ＷＬとにより該レンズ２１の長軸Ｘと短軸Ｙとが規定される。本発明のこの実施形態において、該レンズ２１の長辺ＬＬと幅ＷＬとは対応する撮影用イメージセンサー２７の長さＬＳと幅ＷＳとにより決定される。例を挙げると、該撮影用イメージセンサー２７の長辺ＬＳと丸いレンズ境界（破線部分）とにより規定される範囲を切削部分（斜線部分）と見なし、該撮影用イメージセンサー２７の幅により切削部分の面積の大きさが決定される。特に、該レンズ２１は直径Ｄを有し、該撮影用イメージセンサー２７の長さ幅比が４：３の場合、該レンズ２１の幅ＷＬは、少なくとも該直径Ｄの０．６倍を上回り、且つ該直径Ｄを下回る。
【００１６】
同時に図３Ａ及び図３Ｂを参照すると、本発明の他の実施形態に係るレンズ２１と撮影用イメージセンサー２７（１６：９）との比例関係を示す図である。その対応関係は図２Ａ及び図２Ｂで記載されるものと同じである。本発明のこの実施形態において、該レンズ２１の長辺ＬＬと幅ＷＬとは該撮影用イメージセンサー２７の長さＬＳと幅ＷＳとによって決定される。図２Ａ及び図２Ｂに示すものとの相違点は、該レンズ２１の幅ＷＬが該撮影用イメージセンサー２７の長さ幅比によって更に狭く切削されることにある。特に、該撮影用イメージセンサー２７の長さ幅比が、１６：９の場合、該レンズ２１の幅は、少なくとも該レンズ２１直径Ｄの０．４９倍を上回り、且つ該直径Ｄを下回る。
【００１７】
上記の説明から分かるように、該撮影用イメージセンサー２７の長さＬＳは、該レンズ２１が該光軸に直交する平面に長軸ＬＬを有するように決定され、且つ該撮影用イメージセンサーの幅ＷＳは、該レンズ２１が該光軸に直交する平面に幅ＷＬを有するように決定される。よって、本発明のレンズ駆動モジュールの薄型化設計は、該撮影用イメージセンサーの幅ＷＳにより該レンズ２１の幅ＷＬを決定することにある。本発明のレンズ駆動モジュールを取り付けた鏡面切替モジュールにレンズの幅により決定される厚みを持たせることで、本発明のレンズ駆動モジュールを実装する電子機器は更にその厚みを縮小させることができる。
【００１８】
上記実施形態で示すレンズ２１は、平面レンズであるが、本発明の他の若干実施形態において、該レンズ２１が曲率を有するレンズ或いは複数のレンズの組み合せとすることができる。
【００１９】
図４Ａ及び図４Ｂを参照すると、本発明の一実施形態で提供するレンズ駆動装置２は、レンズの狭い側辺設計に応ずる光学式手振れ補正機構を備える。該光学式手振れ補正機構は、レンズホルダ２０とレンズ２１と枠体２２と一組の磁石２３１、２３２と一組のフォーカスコイル２４１、２４２と一組のピント調整弾性機構２５１、２５２と撮影用イメージセンサー２７と、を含む。
【００２０】
該レンズホルダ２０は、レンズ２１を収容する収容空間を貫通し、該収容空間が該レンズホルダ２０の内壁により規定される開放空間であり、該レンズホルダ２０の内壁輪郭が該レンズ２１の外周縁により定義されることによって、該レンズ２１は、外壁を該レンズホルダ２０の内壁に密着する方式によってその中に収容させることができる。前記レンズ２１により、レンズ駆動装置２全体の光軸Ｚ、長軸Ｘ及び短軸Ｙが決定され、且つ該レンズ２１が長軸Ｘと短軸Ｙとに沿って長辺ＬＬと幅ＷＬ（図２Ｂ及び図３Ｂ）とを各々有し、該レンズホルダ２０の収容空間において、総長さにより長軸Ｘに沿ってＬＬが決定され、総幅により短軸Ｙに沿ってＷＬが決定される。該レンズ２１と該レンズホルダ２０との間に光学用接着剤を塗布して、両者を固定してもよい。若しくは当業者がレンズ固定の目的を達成するため、その他の光学機構のレンズ収容手段で実現できることは理解すべきである。
【００２１】
該レンズホルダ２０は長軸Ｘに直交する両外側面上に側部２０１、２０２を各々備え、短軸Ｙ方向に沿って延伸し、フォーカスコイル２４１、２４２が各々側部２０１、２０２を囲んで予定巻き数まで巻き付ける（つまり長軸Ｘを中心に巻き付ける）ことに用いられる。次に、該レンズホルダ２０は光軸Ｚに直交する上部表面及び下部表面は長軸Ｘに平行な一対の上部手すり２０３と下部手すり２０４とを有し、その機能は後記の段落で説明する。
【００２２】
該枠体２２は、ハウジングであり、光軸Ｚに沿う方向にハウジング内の収容空間と連通する開口部を有する。該枠体２２開口部の長さと幅とは、レンズ２１の長さＬＬと幅ＷＬとによって決定される。図４Ｂに示すように、前記磁石２３１、２３２は、該枠体２２内に収容され、該枠体２２内の長軸Ｘに直交する内壁上に接着される。これら複数の磁石２３１、２３２は前記レンズホルダ２０の側部２０１、２０２に向かう第１表面を各々規定する。前記磁石２３１、２３２は、永久磁石とすることができ、その磁場強度は、フォーカスコイル２４１、２４２の巻き数或いは密度に応じて設定可能である。磁石２３１或いは磁石２３２は、複数の磁石の組み合せとすることができる。また、磁石及びフォーカスコイルの数量は１個のみでもよい。
【００２３】
該枠体２２内に上部板バネ２５１と下部板バネ２５２とを含む前記ピント調整弾性機構を更に収容する。前記上部板バネ２５１、下部板バネ２５２は、複数の本体２５１１、２５２１と複数の弾性部２５１２、２５２２と複数の握り部２５１３、２５２３とを各々含む。前記本体２５１１、２５２１は、短軸Ｙ方向に平行に延伸し、且つその延伸長さが該枠体２２内の幅により決定される。前記握り部２５１３、２５２３は、長軸Ｘ方向に平行に延伸し、且つその延伸長さが該レンズホルダ２０の総長により決定される。前記弾性部２５１２、２５２２は、本体２５１１、２５２１と握り部２５１３、２５２３との間に連結し、また材質及び／或いは構造上の特性を利用して弾性力及び／或いは側方引張力を提供する。
【００２４】
図４Ｂから分かるように、該枠体２２内の光軸Ｚ方向に直交する開口部は第１の頂壁２２１と第２の頂壁２２２とを有し、両者の間に高度差がある。第１の頂壁２２１は、また長軸Ｘの両端に位置する２個の対応する支持面を含む。該第１の頂壁２２１の対向面に底面２２３が設けられる。該底面２２３は、２個の支持面を含み、後記の段落で説明する。該上部板バネ２５１の本体２５１１の一側は該第１の頂壁２２１上に貼り付けられ、上部板バネ２５１の握り部２５１３が長軸Ｘ方向に平行に第１の頂壁２２１との間に延伸設置される。これにより、該上部板バネ２５１を該枠体２２内に収容する。
【００２５】
該一対の磁石２３１、２３２と上部板バネ２５１とを該枠体２２内に収容した後、レンズ２１及びフォーカスコイル対２４１、２４２を搭載している前記レンズホルダ２０を光軸Ｚに沿って、該枠体２２内壁とこれら磁石２３１、２３２と該上部板バネ２５１とにより規定された収容空間内に入れることで、該レンズホルダ２０の上部手すり２０３が該上部板バネ２５１の握り部２５１３を支持し、且つ該レンズ２１の長軸ＬＬがこれら複数の磁石２３１、２３２の第１表面に直交するようにする。該レンズホルダ２０は長軸Ｘ方向及び短軸Ｙ方向上に安定性を得られるため、該枠体２２内に例えば、位置固定用の仕切板のようなストッパー（図示略）を更に設けることで、該レンズホルダ２０が長軸Ｘ及び短軸Ｙ方向上に揺れることが避けられる。
【００２６】
図４Ｂに示すように、該下部板バネ２５２は該枠体２２の底面２２３に設けられ、該下部板バネ２５２の本体２５２１は該底面２２３上に接着し、該下部板バネ２５２の握り部２５２３は長軸Ｘ方向に平行に底面２２３との間に延伸設置されると共にレンズホルダ２０の下部手すり上２０４で支持される。これにより、該レンズホルダ２０は安定して上部板バネ２５１と下部板バネ２５２との握り部２５１３と２５２３との間に挟持でき、また弾性部２５１２、２５２２の作用により該レンズ握り部２０が光軸Ｚに沿って往復式振動を行い、該レンズ握り部２０の振動と同時に、前記磁石２３１、２３２及び対応するフォーカスコイル２４１、２４２が電磁誘導を発生して適切な減衰値を提供して該レンズ握り部２０の振動を安定させる。
【００２７】
該レンズ駆動装置２は、該枠体２２に固着すると共に該撮影用イメージセンサー２７の収容或いは重ね合わせを提供する台座２６を更に含む。該台座２６は、光軸Ｚに沿って光透過口を貫通し、光軸Ｚを該撮影用イメージセンサー２７の中心まで延伸させて該レンズ駆動装置２の結像チャンネルを構成する。
【００２８】
図５Ａ乃至図５Ｃに示すように、本発明の他の実施形態で提供するレンズ駆動モジュール３はレンズの狭い側辺設計に応ずる光学式手振れ補正機構を備える。前記実施形態と同じレンズ２１と枠体２２と磁石２３１とフォーカスコイル２４１と撮影用イメージセンサー２７とを備える以外に、別のレンズホルダ３０と一組のピント調整弾性機構のアセンブリー（上側引張板バネ３５１と下側引張板バネ３５２と複数の球体３５３とを含む）と定位台座３６と一組の変位検出器（ホール磁石３７１とホールセンサー３７２とを含む）とを更に含む。ここのレンズ２１、枠体２２、磁石２３１、フォーカスコイル２４１及び撮影用イメージセンサー２７は、前記実施形態の構造と同じであるため、関連の構成要素の接続関係は詳細な説明を省略する。
【００２９】
ここのレンズホルダ３０は、レンズ２１を収容する収容空間を貫通しており、長軸Ｘに直交する外側面上に側部３０１を設け、且つ光軸Ｚに直交する上部表面及下部表面に一対の上部手すり３０２及び一対の下部手すり３０３を各々設ける。該レンズホルダ３０の該長軸Ｘに直交する他の外側面上から一対の曲がりアーム３０４が延出し、長軸Ｘの両側に対称に設けられる。各曲がりアーム３０４は、第１の挟持面３０４１（図５Ｃ）を構成する隣り合う両壁部を備える。その詳細な機能は後記の段落で説明する。また、該レンズホルダ３０の該一対の曲がりアーム３０４間にある一側に前記ホール磁石３７１が設置される。該ホール磁石３７１は、対向側の磁石２３１に比べて異なる磁場強度又はパターンの設定を有することができる。
【００３０】
該上側引張板バネ３５１、下側引張板バネ３５２は、前記実施形態に記載される板バネ２５１、２５２と同じように、本体と弾性部と握り部とを含む。相違点は、図５Ｂ及び図５Ｃに示すように上側引張板バネ３５１、下側引張板バネ３５２が本体に通されることのみによってベースとなると共に本体から延出する一対の握り部が該レンズホルダ３０の上部手すり３０２、下部手すり３０３に支持されることで、該レンズホルダ３０の側方引張力を提供する。該上側引張板バネ３５１、下側引張板バネ３５２の本体は、該枠体２２内の対応面に各々支持されると共に該レンズホルダ３０の一端を挟持する。
【００３１】
該定位台座３６は、前記実施形態に記載される台座２６と類似する。しかしながら、ここの定位台座３６は、座面から光軸Ｚに沿って延出する一対の位置決め突起部３６１を更に備え、該位置決め突起部３６１は、長軸Ｘの両側に対称に設けられると共に前記レンズホルダ３０の曲がりアーム３０４に対応する。図５Ｃに示すように、各位置決め突起部３６１は、第２の挟持面３６１１を構成する隣り合う両壁部を備える。
【００３２】
該定位台座３６が該レンズホルダ３０を収容する枠体２２と結合した後、該一対の位置決め突起部３６１は、該枠体２２内まで延伸し、且つこれら曲がりアーム３０４の第１の挟持面３０４１とこれら位置決め突起部３６１の第２の挟持面３６１１とを対面させて光軸Ｚに平行な２つの軌道を形成する。
【００３３】
これら複数の球体３５３は、同じ寸法を有することができ、これら挟持面３０４１、３６１１で規定する２つの軌道内に各々収容される。組み立て状態によって、前記第１の挟持面３０４１は球体３５３にて長軸Ｘに平行な正方向の力及び短軸Ｙに平行な正方向の力を作用させ、該第１の挟持面３０４１に対応する第２の挟持面３６１１は球体３５３に対して長軸Ｘに平行な逆方向の力及び短軸Ｙに平行な逆方向の力を作用させ、該レンズホルダ３０を長／短軸方向において該枠体２２内に安定して収容し、且つ球体３５３の補助により該レンズホルダ３０は、これら位置決め突起部３６１の方向に沿って変位できる。
【００３４】
前記上側引張板バネ３５１、下側引張板バネ３５２、第１の挟持面３０４１及び第２の挟持面３６１１は、該ピント調整弾性機構を構成する主な部材で、外力振動を受けたレンズホルダ３０に減衰値を提供することで、光軸Ｚに沿う振動を緩和し、ピント合わせの効率を促進する。
【００３５】
また、前記変位検出器は、該レンズホルダ３０の変位を検出し、主に該ホール磁石３７１と該ホールセンサー３７２からなる。該ホール磁石３７１は、該レンズホルダ３０の曲がりアーム３０４間に取り付けられ、該ホールセンサー３７２は、回路基板と磁場センサーとからなる。前記回路基板は、演算器とコントローラとその他の回路素子の配置とを備えることができる。該ホールセンサー３７２は該枠体２２の内側面に接着し、該レンズホルダ３０上のホール磁石３７１に近いことで、該磁場センサーにより該ホール磁石３７１の変位により生じた空間磁場の変化を受信すると共に検出信号に関わらせ、更に回路基板内の演算器を通じて該検出信号を変位信号に変換してその変位程度を知る。次に、該コントローラは、該変位信号によって制御信号を生成し、該制御信号が能動的にフォーカスコイル２４１に提供する電流値に関わらせる。つまり、該変位検出器は、該レンズホルダ３０の変位量を把握した後、能動制御方式で該レンズホルダ３０のフォーカスコイル側２４１にある磁場数値を調整し、揺れ中のレンズホルダ３０を、迅速にピントを合わせる位置に復帰させる。若干の実施形態において、推力をアップしようとする場合、磁石２３１とフォーカスコイル２４１とで構成された電磁誘導アクチュエータを圧電材料からなる圧電アクチュエータ（図示略）のような他の機構に交換できる。
【００３６】
図６及び図７を参照すると、前記実施形態に係るレンズ駆動装置２、３の組立図及び鏡面切替モジュール立体図である。このレンズ駆動装置２、３の長さＬＦと幅ＷＦとは、前記レンズ２１の長さＬＬと幅ＷＬにより決定され、図２Ａ図乃至図３Ｂに示すように、これにより、該レンズ２１の長さ幅寸法は、撮影用イメージセンサーの長さ幅比によって決定される。つまり、レンズの幅が縮小を決定した場合、該レンズに関わる機構、例えばレンズホルダ、磁石、フォーカスコイル、板バネ、枠体及び台座等の短軸Ｙに平行な幅は、いずれも更に縮小できる。
【００３７】
図７に示す鏡面切替モジュール４内のアクチュエータ４１、鏡面支持部４２及び鏡面４３のＹ軸の幅は、同様に該レンズ駆動装置２、３全体の幅ＷＦに応じて縮小でき、該鏡面切替モジュール４が従来の機構（図１Ａ）に比べて厚みにおいて更に薄型化される。言い換えると、該アクチュエータ４１と該鏡面４３と該レンズ駆動装置２、３とにおける組立により、該鏡面切替モジュール４の長さＬＦ、幅ＷＦ及び高さＨが決定される。
【００３８】
図８Ａ乃至図８Ｃは、本発明により提供する電子機器５の一実施形態を示す模式図である。該電子機器５は、平板状を呈し、上部表面５１と下部表面５２とを備え、該上部表面５１と下部表面５２との間に介在する距離が該電子機器５の幅ＷＤである。該上部表面５１を貫設する第１の撮像孔５１１を設け、該下部表面５２に第２の撮像孔５２１を設ける。若干の実施形態において、前記撮像孔５１１、５２１は撮像レンズ組を収容できる。該電子機器５は鏡面切替モジュール４を備え、これを該電子機器５内に安定して収容し、且つ該第１の撮像孔５１１と該第２の撮像孔５２１との間に位置させる。前記鏡面切替モジュール４は、図７に示すようにアクチュエータ４１と鏡面４３とレンズ駆動装置２、３とを含むことができる。該レンズ駆動装置２は光軸Ｚを提供し、該鏡面４が回転或いは枢動できる方式で該光軸Ｚに固定され、該鏡面を通じて第１位置と第２位置とに回して２個の結像チャンネル（図８Ｂ及び図８Ｃ）を形成し、該第１の撮像孔５１１又は該第２の撮像孔５２１から該レンズ駆動装置２、３まで撮像できる。該レンズ駆動装置と該鏡面と該アクチュエータの組立により、該鏡面切替モジュールの長さＬＦ、幅ＷＦ及び高さＨが決定され、鏡面切替モジュールの幅により、該電子機器５の幅ＷＤが決定されるため、電子機器の幅若しくは厚みを更に鏡面切替モジュールの縮小に伴って薄型化させることができる。
【００３９】
上記をまとめて、本発明が提供するレンズ駆動装置、鏡面切替装置及びその電子機器内のレンズの幅は、枠体が幅を有するように決定され、該鏡面切替モジュールの幅も決定され、且つ該鏡面切替モジュールの幅により、該電子機器の幅が決定され、その対応する機構が薄型化できる。
【００４０】
これにより、本発明の薄型レンズモジュールの好ましい実施形態は、上記説明及び図面で説明した。本明細書内で開示された全ての特徴は、その他の方法と組み合わされ、本明細書内に開示される各特徴は選択的に同一、同等又は近似の目的特徴で代替できる。よって、特別顕著な特徴を除き、全ての本明細書で開示される特徴は、同等或いは近似特徴のうちの一つの例だけである。本発明の好ましい実施形態の記述を経た後、当業者は本発明が実際新規性、進歩性及び産業上の利用可能性を有する発明であり、発展価値を極めて有することを理解すべきである。本発明は当業者が種々なる変更、修正、改良等を実施できるが、特許請求の範囲で保護しようとするものを含む。
【符号の説明】
【００４１】
１…鏡面切替モジュール、１１…アクチュエータ、１１１…回転軸、１１２…鏡面支持部、１２…鏡面、１３…レンズ駆動装置、１３１…レンズ、１３２…撮影用イメージセンサー、２…レンズ駆動装置、２０…レンズホルダ、２０１…側部、２０２…側部、２０３…上部手すり、２０４…下部手すり、２１…レンズ、２２…枠体、２２１…第１の頂壁、２２２…第２の頂壁、２２３…底面、２３１…磁石、２３２…磁石、２４１…フォーカスコイル、２４２…フォーカスコイル、２５１…上部板バネ、２５１１…本体、２５１２…弾性部、２５１３…握り部、２５２…下部板バネ、２５２１…本体、２５２２…弾性部、２５２３…握り部、２６…台座、２７…撮影用イメージセンサー、２…レンズ駆動装置、３…レンズ駆動モジュール、３０…レンズホルダ、３０１…側部、３０２…上部手すり、３０３…下部手すり、３０４…曲がりアーム、３０４１…第１の挟持面、３５１…上側引張板バネ、３５２…下側引張板バネ、３５３…球体、３７１…ホール磁石、３７２…ホールセンサー、３６…定位台座、３６１…位置決め凸起部、３６１１…第２の挟持面、４…鏡面切替モジュール、４１…アクチュエータ、４２…鏡面支持部、４３…鏡面、５…電子機器、５１…上部表面、５１１…第１の撮像孔、５２…下部表面、５２１…第２の撮像孔、Ｘ…長軸、Ｙ…短軸、Ｚ…光軸、Ｄ…直径（レンズ）、ＬＬ…長さ（レンズ）、ＷＬ…幅（レンズ）、ＬＳ…長さ（撮影用イメージセンサー）、ＷＳ…幅（撮影用イメージセンサー）、ＬＦ…長さ（枠体）、ＷＦ…幅（枠体）、Ｈ…高さ（鏡面切替モジュール）、ＷＤ…幅（電子機器）。
【図１Ａ】
0006312621.tif 000002
【図１Ｂ】
0006312621.tif 000003
【図２Ａ】
0006312621.tif 000004
【図２Ｂ】
0006312621.tif 000005
【図３Ａ】
0006312621.tif 000006
【図３Ｂ】
0006312621.tif 000007
【図４Ａ】
0006312621.tif 000008
【図４Ｂ】
0006312621.tif 000009
【図５Ａ】
0006312621.tif 000010
【図５Ｂ】
0006312621.tif 000011
【図５Ｃ】
0006312621.tif 000012
【図６】
0006312621.tif 000013
【図７】
0006312621.tif 000014
【図８Ａ】
0006312621.tif 000015
【図８Ｂ】
0006312621.tif 000016
【図８Ｃ】
0006312621.tif 000017